(57)【特許請求の範囲】
【請求項１】
交流電源に接続されるノイズフィルタ回路と、
前記ノイズフィルタ回路と接続され、誘導加熱コイルへの電流を制御するインバータ回路と、
前記誘導加熱コイル、前記ノイズフィルタ回路および前記インバータ回路を収容する箱体とを備え、
前記箱体内において、前記ノイズフィルタ回路は前記インバータ回路よりも前方に形成され、前記箱体の下面を塞ぐ底板は導電性金属材料にて形成され、
前記ノイズフィルタ回路から引き出された電源コードは、前記ノイズフィルタ回路の近傍において前記底板に穿孔された貫通孔を通過した後、前記底板の下方を通り前記箱体の後方へと進んで外部へ引き出されており、前記電源コードと前記インバータ回路との間には前記底板がシールド部材として配置されていることを特徴とする誘導加熱調理器。
【請求項２】
前記底板には前記貫通孔から前記箱体の後方へと延びる上方へ膨らんだ絞り部が形成され、前記電源コードは前記絞り部内に配索されていることを特徴とする請求項１記載の誘導加熱調理器。
【請求項３】
導電性金属材料にて形成された下板により前記絞り部の下方を閉塞したことを特徴とする請求項２記載の誘導加熱調理器。
【請求項４】
前記絞り部の下面と前記下板の上面により前記電源コードを挟持したことを特徴とする請求項３記載の誘導加熱調理器。
【請求項５】
前記ノイズフィルタ回路および前記インバータ回路は基板上に形成され、該基板は前記底板上に固定された基板支持体に保持され、前記基板支持体は前記基板が載置される保持板と該保持板の周囲を取り囲む立壁を有し、前記ノイズフィルタ回路の近傍にある前記立壁の外周面には、前記電源コードを保持する保持部が形成され、前記ノイズフィルタ回路から引き出された前記電源コードは、前記基板支持体の内側から前記立壁を乗り越えて前記保持部に固定された後、前記貫通孔を通過することを特徴とする請求項１乃至４のうちのいずれかに記載の誘導加熱調理器。
【請求項６】
前記底板に設けられた前記貫通孔は前記電源コードに取付けられた電源プラグが通過可能なように形成され、前記底板上に前記基板支持体を取り付けることにより前記貫通孔の一部は前記基板支持体の前記保持板により閉塞されることを特徴とする請求項５記載の誘導加熱調理器。
【発明の詳細な説明】
【技術分野】
【０００１】
本発明は、誘導加熱コイルに電流を供給することにより調理容器内の食材を加熱する誘導加熱調理器に関する。
【背景技術】
【０００２】
従来より誘導加熱調理器においては、誘導加熱コイルを高周波で駆動するためにインバータ回路が設けられており、これにより輻射ノイズが発生することが知られている。特に、インバータ回路によって発生される輻射ノイズが商用電源との接続部へ乗った場合、他の電化製品に対してノイズの影響を与えることもある。これを防止するために、ノイズフィルタ回路とインバータ回路との中間の高さにノイズフィルタ回路と商用電源との接続部を配置した従来技術があった（例えば、特許文献１参照）。
【特許文献１】特開２００６−８６０５９号公報
【発明の開示】
【発明が解決しようとする課題】
【０００３】
これまでの誘導加熱調理器において電源コードの引き出し方向は、商用電源が供給されるコンセントの位置との関係から、通常、調理器の後方とされている。従って、インバータ回路により発生された輻射ノイズが商用電源と接続された電源コードへ乗ることを防ぐために、通常、電源コードは後方部に形成されたノイズフィルタ回路から外部へと引き出されている。
【０００４】
しかしながら、近頃の高品質・多機能化という誘導加熱調理器の趨勢から、調理器内部の部品点数の増大および部品の長大化が加速して、各々の部品のレイアウトの自由度が減少する傾向にある。従って、調理器内部においてノイズフィルタ回路がインバータ回路よりも前方に形成されることを余儀なくされる場合も考えられる。この場合、ノイズフィルタに接続された電源コードがインバータ回路の近辺を通って後方に配索されなければならず、電源コードにインバータ回路によるノイズが再び乗る恐れがある。また、インバータ回路を避けて上方に電源コードを通せば誘導加熱コイルに近づくことになり、これによっても電源コードにノイズが発生することが十分に考えられる。
本発明は、上記事情に鑑みてなされたものであり、その目的は、電源コードにノイズが発生することを防ぐことのできる誘導加熱調理器を提供することにある。
【課題を解決するための手段】
【０００５】
本発明による加熱調理器は、交流電源に接続されるノイズフィルタ回路と、前記ノイズフィルタ回路と接続され、誘導加熱コイルへの電流を制御するインバータ回路と、前記誘導加熱コイル、前記ノイズフィルタ回路および前記インバータ回路を収容する箱体とを備え、前記箱体内において、前記ノイズフィルタ回路は前記インバータ回路よりも前方に形成され、前記箱体の下面を塞ぐ底板は導電性金属材料にて形成され、前記ノイズフィルタ回路から引き出された電源コードは、前記ノイズフィルタ回路の近傍において前記底板に穿孔された貫通孔を通過した後、前記底板の下方を通り前記箱体の後方へと進んで外部へ引き出されており、前記電源コードと前記インバータ回路との間には前記底板がシールド部材として配置されていることに特徴を有している。
【発明の効果】
【０００６】
ノイズフィルタ回路から引き出された電源コードを、インバータ回路の近傍を通過させて後方へ配索しなければならないという部品レイアウトにもかかわらず、シールド部材によりインバータ回路および誘導加熱コイル等からのノイズが電源コードに乗ることを防ぐことができる。また、このため、誘導加熱調理器内のいかなる部品レイアウトにも対応可能となり、部品レイアウトの設定の自由度が増大する。
【発明を実施するための最良の形態】
【０００７】
図１乃至図４に基づいて、本発明の一実施形態による誘導加熱調理器１について説明する。説明中、図２における左方を前方（使用時にユーザと向き合う側）とし、右方を後方（本発明の箱体の後方と一致する）とする。また、説明中において右方、左方とは、前方側から後方を見た状態を想定して言うものとする。誘導加熱調理器１のキャビネット２は、後述するトッププレート１６とともに本発明の箱体に該当し、図１に示すように略直方体状をなしている。キャビネット２にはグリル調理庫３が形成され、その前方には開閉自在のグリル扉４が設けられており、また、後方にはグリル排気筒５が形成されている。グリル調理庫３の天板は前方に凹部６が形成されており、ここには表示基板を含む操作基板７が取付けられている。操作基板７はユーザの操作により信号を発信するスイッチ群により形成されている。また、操作基板７の後方には、一対の誘導加熱コイル８ａ、８ｂが固定されたコイル載置台９が取付けられている。
【０００８】
グリル調理庫３の右方は機械室１０となっており、その下面および後面にはそれぞれ空気吸引口１１、１２が形成され、さらに上面には空気出口１３が設けられている。機械室１０の内部には冷却用ファン１４が設けられており、その下方には回路基板１５（本発明の基板に該当する）が配置されている。冷却用ファン１４が図示しないモータによって駆動されることにより、空気吸引口１１、１２から冷却用空気が吸引され、冷風となって回路基板１５あるいは誘導加熱コイル８ａ、８ｂを冷却した後、空気出口１３から排出される。
【０００９】
キャビネット２上には、グリル調理庫３および機械室１０を覆うように負荷鍋（図示せず）を載せるためのトッププレート１６が装着されている。トッププレート１６の前方には操作部（表示部を含む）１７が形成され、後縁には冷却後の空気を外部へ排出する冷却風排出口１８ａ、１８ｂおよびグリル調理庫３において発生した煙を排出するグリル排気口１９ａ、１９ｂが形成されている。
【００１０】
図２に示すように、キャビネット２の下面を塞ぐ底板２０（本発明のシールド部材に該当する）は鋼板等の導電性を有する金属材料にて形成され、その上には基板支持体２１が固定されている。基板支持体２１は合成樹脂材料にて一体に形成されており、キャビネット２の底板２０と対向するとともに上述した回路基板１５が載置される保持板２２と、保持板２２の周囲を取り囲む立壁２３を備え略箱型に形成されている。また、保持板２２の前方には、底板２０に形成された前述の空気吸引口１１と対応するように空気孔２４が形成されている。
立壁２３の上端にはアッパハウジング２５が取り付けられ、この中に前述の冷却用ファン１４が回転可能に収容されている。アッパハウジング２５は合成樹脂材料にて一体的に形成され、エアダクト２６が形成されることにより、誘導加熱コイル８ａ、８ｂへの冷却用空気の循環を可能にしている。
【００１１】
基板支持体２１の保持板２２上に固定される回路基板１５は単一の基板で、図３に示すように、商用交流電源に接続されるノイズフィルタ回路２７、整流器、ＩＧＢＴ（Insulated Gate Bipolar Transistor）を具備し、ノイズフィルタ回路２７と接続され誘導加熱コイル８ａ、８ｂへの電流を制御するインバータ回路２８およびインバータ回路２８の作動を制御するコントロール回路２９を含んでおり、ノイズフィルタ回路２７はインバータ回路２８よりも前方に形成されている。
【００１２】
図３に示すように、ノイズフィルタ回路２７からは一対の電源線３０が引き出されており、ボデーアースされたグランド線３１とともに電源コード３２が形成されている。また、ノイズフィルタ回路２７の近傍において、基板支持体２１の立壁２３の上縁には切欠部３３が形成されている（図２示）。さらに、切欠部３３の近傍にある立壁２３の外周面上方には互いに所定距離だけ離れた一対の保持リブ３４（本発明の保持部に該当する）が突出しており、ノイズフィルタ回路２７から引き出された電源線３０は、切欠部３３を通って基板支持体２１の内側から立壁２３を乗り越えた後、電源コード３２となり保持リブ３４の間において挟持され、上下方向に延びるように固定されている。
一方、ノイズフィルタ回路２７の近傍において、底板２０には電源コード３２の先端に接続された電源プラグ３５が通過可能な大きさ、形状にコード配索孔３６（本発明の貫通孔に該当する）が穿孔されている。保持リブ３４に固定された電源コード３２は、コード配索孔３６を通過して底板２０の下方へと至っている。コード配索孔３６のうち電源コード３２が通過している残りの部分（本発明の貫通孔の一部に該当する）は、基板支持体２１の保持板２２にて閉塞されている（図３および図４示）。
【００１３】
図３に示すように、底板２０にはコード配索孔３６からキャビネット２の後方へと延びる絞り部３７が形成されている。絞り部３７は底板２０が上方へと膨むように形成され、その中にコード配索孔３６を通過した電源コード３２が配索されている（図４示）。電源コード３２は絞り部３７内（底板２０の下方）をキャビネット２の後方へと進み外部に引き出されている。これにより、電源コード３２とインバータ回路２８との間にはシールド部材である底板２０が配置され、電源コード３２は底板２０によりインバータ回路２８から電磁気遮蔽されている。
【００１４】
図４に示すように、絞り部３７の下方は平坦な下板３８により閉塞されている。下板３８は導電性金属材料にて形成され、絞り部３７内に配索された電源コード３２をさらに外部から電磁気遮蔽している。また、下板３８の周縁部と底板２０との間には合成ゴム等の材質にて形成されたシール部材３９が介装され、下板３８と底板２０とを液密的に係合させている。これにより、コード配索孔３６を介して外部からの空気が基板支持体２１内に侵入することがなくなり、冷却用ファン１４による冷却効果を向上させている。また、下板３８の上面は、絞り部３７の下面との間で電源コード３２を径方向に挟持し固定している。
【００１５】
本実施形態によれば、キャビネット２内において、ノイズフィルタ回路２７はインバータ回路２８よりも前方に形成され、電源コード３２がノイズフィルタ回路２７からキャビネット２の後方へと進んで外部へ引き出されており、電源コード３２とインバータ回路２８との間にはシールド部材である底板２０が配置されている。
これにより、ノイズフィルタ回路２７から引き出された電源コード３２を、インバータ回路２８の近傍を通過させて後方へ配索しなければならないという部品レイアウトにもかかわらず、シールド部材によりインバータ回路２８および誘導加熱コイル８ａ、８ｂ等からのノイズが電源コード３２に乗ることを防ぐことができる。従って、誘導加熱調理器１内のいかなる部品レイアウトにも対応可能となり、部品レイアウトの設定の自由度が増大する。
【００１６】
また、キャビネット２の下面を塞ぐ底板２０は導電性金属材料にて形成され、電源コード３２はノイズフィルタ回路２７の近傍において底板２０に穿孔されたコード配索孔３６を通過した後、底板２０の下方を進んでキャビネット２の後方へと引き出されている。
これにより、底板２０により電源コード３２が電磁気遮蔽されているため、誘導加熱調理器１内に特別なシールド部材を設ける必要がなく、また、電源コード３２をシールド線化したり電源コード３２にシールド材を取り付ける手間もなく、小型で低コストの誘導加熱調理器１にすることができる。
【００１７】
また、電源コード３２は底板２０の下方を後方へと進んで外部へと引き出されているため、インバータ回路２７および誘導加熱コイル８ａ、８ｂとの間に距離を保つことができ、いっそうノイズが電源コード３２に乗ることを防ぐことができる。
また、底板２０にはコード配索孔３６からキャビネット２の後方へと延びる上方へ膨らんだ絞り部３７が形成され、電源コード３２は絞り部３７内に配索されているため、電源コード３２が下方に突出して他部材に干渉することもなく電源コード３２が保護される。
また、導電性金属材料にて形成された下板３８により絞り部３７の下方を閉塞したため、下板３８により電源コード３２を保護するとともに、インバータ回路２７および誘導加熱コイル８ａ、８ｂからさらに電磁遮蔽することができる。
【００１８】
また、絞り部３７の下面と下板３８の上面により電源コード３２を挟持したため、特別な部材を設けなくても電源コード３２を固定することができ、低コストにできるとともに、電源コード３２の組付性も向上する。
また、ノイズフィルタ回路２７の近傍にある立壁２３の外周面には、電源コード３２を挟持する一対の保持リブ３４が形成され、ノイズフィルタ回路２７から引き出された電源コード３２は、基板支持体２１の内側から立壁２３を乗り越えて保持リブ３４の間に固定された後、コード配索孔３６を通過するため、電源コード３２の組付性に優れ、電源コード３２に多少の張力が働いてもコード配索孔３６の周囲等に干渉してダメージを受けることもない。
【００１９】
また、底板２０に設けられたコード配索孔３６は電源コード３２に取付けられた電源プラグ３５が通過可能な大きさ、形状に形成され、底板２０上に基板支持体２１を取り付けることによりコード配索孔３６の一部は基板支持体２１の保持板２２により閉塞されるため、電源プラグ３５側から電源コード３２を底板２０に通過させることができ、電源コード３２の組付性を向上させることができる。また、コード配索孔３６の一部を保持板２２により閉塞することで基板支持体２１内の冷却性を向上させることができる。
【００２０】
＜その他の実施形態＞
本発明は、上述した実施形態に限定されるものではなく、次のように変形または拡張することができる。
ノイズフィルタ回路２７、インバータ回路２８およびコントロール回路２９は、必ずしも単一の回路基板上になくてもよい。
また、ノイズフィルタ回路２７がインバータ回路２８よりも前方にあれば、基板支持体２１内においてはあらゆる部品レイアウトが許容される。
立壁２３の外周面に形成される保持部は、電源コード３２を保持する機能を有するのであれば、どのような形状であってもよい。
【図面の簡単な説明】
【００２１】
【図１】本実施形態による誘導加熱調理器の分解斜視図
【図２】図１に示した誘導加熱調理器の縦断面図
【図３】図１に示した誘導加熱調理器内部の部分平面図
【図４】図３のＡ−Ａ断面図
【符号の説明】
【００２２】
図面中、１は誘導加熱調理器、２はキャビネット（箱体）、８ａ、８ｂは誘導加熱コイル、１５は回路基板（基板）、２０は底板（シールド部材）、２１は基板支持体、２２は保持板、２３は立壁、２７はノイズフィルタ回路、２８はインバータ回路、３２は電源コード、３４は保持リブ（保持部）、３５は電源プラグ、３６はコード配索孔（貫通孔）、３７は絞り部、３８は下板を示している。
【図１】
0004922136.tif 000002
【図２】
0004922136.tif 000003
【図３】
0004922136.tif 000004
【図４】
0004922136.tif 000005